(57)【要約】【課題】無線通信装置のアンテナの取り付け方法の不良、またはアンテナの故障も含めて無線通信装置の通信異常の有無を確認できるようにする。【解決手段】本発明は、無線通信装置３が、無線接続される少なくとも無線通信基地局６ａ等との間の電界強度を計測する電界強度計測手段３１を有するとともに、携帯可能な電界強度確認装置５を備えている。この電界強度確認装置５は、無線基地局６ａ等との間の電界強度を計測する電界強度計測部５１と、無線通信装置３の電界強度計測手段３１が計測した電界強度を読み出す電界強度読み出し部５２と、電界強度計測部５１が計測した電界強度と電界強度読み出し部５２によって読み出された無線通信装置３の電界強度計測手段３１で計測された電界強度とに基づいて、無線通信装置３の通信異常の有無を判定する通信状態判定部５３とを有している。【選択図】図１
2016046743.tif 000002
【特許請求の範囲】
【請求項１】
建物に備えられた監視対象設備を監視し、遠隔地に設置された監視センタに無線通信網を介して通報する遠隔監視装置に接続された無線通信装置の通信異常の有無を確認する無線通信装置の通信状態確認装置において、
前記無線通信装置は、無線接続される少なくとも１つの無線通信基地局との間の電界強度を計測する電界強度計測手段と、前記電界強度計測手段で計測した電界強度を送信する通信手段とを有するとともに、
携帯可能な電界強度確認装置を備え、この電界強度確認装置は、前記無線基地局との間の電界強度を計測する電界強度計測部と、前記無線通信装置の前記電界強度計測手段が計測した電界強度を読み出す電界強度読み出し部と、前記電界強度計測部が計測した電界強度と前記電界強度読み出し部によって読み出された前記無線通信装置の前記電界強度計測手段で計測された電界強度とに基づいて、前記無線通信装置の通信異常の有無を判定する通信状態判定部とを有することを特徴とする無線通信装置の通信状態確認装置。
【請求項２】
請求項１に記載の無線通信装置の通信状態確認装置において、
前記電界強度確認装置は、前記通信状態判定部による判定結果を表示する表示部を有することを特徴とする無線通信装置の通信状態確認装置。
【請求項３】
請求項１または２に記載の無線通信装置の通信状態確認装置において、
前記監視センタは、前記無線通信装置の前記電界強度計測手段が計測した電界強度を読み出す電界強度読み出し部と、この電界強度読み出し部で読み出された電界強度の合否判定を行う電界強度判定部とを有することを特徴とする無線通信装置の通信状態確認装置。
【請求項４】
請求項３に記載の無線通信装置の通信状態確認装置において、
前記監視センタは、電界強度判定部で否と判定されたときに、前記無線通信装置の補修作業を指示する作業指示部を有することを特徴とする無線通信装置の通信状態確認装置。
【発明の詳細な説明】
【技術分野】
【０００１】
本発明は、建物に備えられたエレベータ等の監視対象設備の遠隔監視に活用される無線通信装置の通信異常の有無を確認する無線通信装置の通信状態確認装置に関する。
【背景技術】
【０００２】
建物に備えられたエレベータ等の監視対象設備の監視を行うために、監視対象設備に接続された遠隔監視装置と、遠隔地に設置された監視センタとを、携帯電話やＰＨＳ等の無線通信装置を活用して接続することはよく知られている。このように活用される無線通信装置の取り付け可否を判定する方法として、周辺の電波状態を測定し、一定レベル以上の電波が受信可能ならば、設置可とする判定方法が特許文献１に提案されている。
【先行技術文献】
【特許文献】
【０００３】
【特許文献１】特開２００５−２５２７００号公報
【発明の概要】
【発明が解決しようとする課題】
【０００４】
前述した従来技術によれば、無線通信装置の設置位置周辺の電波状態については計測できるが、電波の測定位置が無線通信装置の設置位置からずれていたり、無線通信装置のアンテナの向きや取り付け方法に問題があったり、アンテナが故障していたりする場合には、「使用可」とされた場合でも、無線通信装置の正常な通信を実施できないことが起こり得る。
【０００５】
この場合、無線通信装置が受信している電波状態を無線通信装置から読み出す方法もあるが、アンテナの向きや取り付け方法に問題があったり、アンテナが故障していて電波の受信状態が良好でない場合には、周辺の電波状態が良好でないと判断されてしまい、それにより無線通信装置の使用が不可と誤判断される虞がある。
【０００６】
本発明は、前述した従来技術における実情からなされたもので、その目的は、無線通信装置のアンテナの取り付け方法の不良、またはアンテナの故障も含めて無線通信装置の通信異常の有無を確認することができる無線通信装置の通信状態確認装置を提供することにある。
【課題を解決するための手段】
【０００７】
前記目的を達成するために、本発明に係る無線通信装置の通信状態確認装置は、建物に備えられた監視対象設備を監視し、遠隔地に設置された監視センタに無線通信網を介して通報する遠隔監視装置に接続された無線通信装置の通信異常の有無を確認する無線通信装置の通信状態確認装置において、前記無線通信装置は、無線接続される少なくとも１つの無線通信基地局との間の電界強度を計測する電界強度計測手段と、前記電界強度計測手段で計測した電界強度を送信する通信手段とを有するとともに、携帯可能な電界強度確認装置を備え、この電界強度確認装置は、前記無線基地局との間の電界強度を計測する電界強度計測部と、前記無線通信装置の前記電界強度計測手段が計測した電界強度を読み出す電界強度読み出し部と、前記電界強度計測部が計測した電界強度と前記電界強度読み出し部によって読み出された前記無線通信装置の前記電界強度計測手段で計測された電界強度とに基づいて、前記無線通信装置の通信異常の有無を判定する通信状態判定部とを有することを特徴としている。
【発明の効果】
【０００８】
本発明に係る無線通信装置の通信状態確認装置によれば、携帯可能な電界強度確認装置の電界強度計測部が計測した無線通信装置の周辺の無線基地局との間の電界強度と、電界強度確認装置の電界強度読み出し部によって読み出された無線通信装置の電界強度計測手段で計測された電界強度とに基づいて、無線通信装置の通信異常の有無を判定する電界強度確認装置の通信状態判定部によって、無線通信装置のアンテナの取り付け方法の不良、またはアンテナの故障も含めて無線通信装置の通信異常の有無を精度良く確認することができる。これにより本発明は、従来よりも信頼性の高い、品質の安定した監視対象設備に対する遠隔監視システムを実現させることができる。
【図面の簡単な説明】
【０００９】
【図１】本発明に係る無線通信装置の通信状態確認装置の一実施形態の構成を示すブロック図である。
【図２】本実施形態に備えられる電界強度確認装置における処理手順を示すフローチャートである。
【図３】本実施形態に備えられる監視センタにおける処理手順を示すフローチャートである。
【発明を実施するための形態】
【００１０】
以下、本発明に係る無線通信装置の通信状態確認装置の実施の形態を図面に基づいて説明する。
【００１１】
図１に示すように、本実施形態に係る無線通信装置の通信状態確認装置は、建物に備えられたエレベータ等の監視対象設備１を監視する遠隔監視装置２に接続され、監視情報を通信回線網７を介して遠隔地に設置された監視センタ８との間で送受信が可能な無線通信装置３の通信状態の異常の有無を確認する装置である。
【００１２】
本実施形態は、無線通信装置３が、無線接続される少なくとも１つの無線通信基地局、例えば無線基地局６ａ，６ｂ，６ｃとの間の電界強度を計測する電界強度計測手段３１と、この電界強度計測手段３１で計測した電界強度を送信する通信手段３２とを有している。
【００１３】
また、本実施形態は、携帯可能な電界強度確認装置５を備え、この電界強度確認装置５は、無線基地局６ａ，６ｂ，６ｃとの間の電界強度を計測する電界強度計測部５１と、無線通信装置３の電界強度計測手段３１が計測した電界強度を読み出す電界強度読み出し部５２と、電界強度計測部５１が計測した電界強度と電界強度読み出し部５２によって読み出された無線通信装置３の電界強度計測手段３１で計測された電界強度とに基づいて、無線通信装置３の通信異常の有無を判定する通信状態判定部５３とを有している。
【００１４】
また、本実施形態は、監視センタ８が、無線通信装置３の電界強度計測手段３１が計測した電界強度を読み出す電界強度読み出し部８２と、この電界強度読み出し部８２で読み出された電界強度の合否判定を行う電界強度判定部８３とを有している。また、この監視センタ８は、電界強度判定部８３で不合格と判定されたときに、無線通信装置３のアンテナ３ａの取り付け方法、アンテナ３ａの故障の確認も含めた確認作業を指示する作業指示部を有している。
【００１５】
本実施形態に備えられる遠隔監視装置２は、監視対象設備１の監視を行い、監視対象設備１に異常が発生した場合、無線通信装置３の通信手段３２を介して、無線通信基地局６ａ，６ｂ，６ｃのいずれかから使用可能な無線基地局を選択し、公衆回線網７を経由して監視センタ８に対して異常情報の通報を行う。異常通報を受信した監視センタ８は該当する監視対象設備１の保全を担当している営業所に作業指示部８１を介して、異常通報に対応する出動を指示する。
【００１６】
無線通信装置３が無線通信基地局６ａ，６ｂ，６ｃと通信を行う場合は、無線通信装置３に接続された前述のアンテナ３ａを使用する。なお、アンテナ３ａは無線通信装置３に内蔵させるようにしてもよい。また、本実施形態は、監視センタ８から公衆回線網７、無線通信基地局６ａ，６ｂ，６ｃのいずれかを介して、無線通信装置３を経由して、遠隔監視装置２にアクセスして、監視対象整備１の状態を確認することができる。図１中の破線は無線通信による接続を示している。
【００１７】
ここで、無線通信装置３の取り付け時には、または通常監視中に遠隔監視装置２と監視センタ８との間に通信異常が発生した時には、保守員４は現地に出動し、無線通信装置３と複数存在する無線基地局６ａ，６ｂ，６ｃのいずれかとの間が通信可能であるかどうかを、前述した電界強度確認装置５を携帯して確認する作業を行う。
【００１８】
電界強度確認装置５には、無線通信基地局６ａ，６ｂ，６ｃから出力される電波を受信するアンテナ５ａが接続されている。保守員４が、測定を開始するための操作を電界強度確認装置５に対して実施すると、電界強度確認装置５の電界強度計側部５１は、無線通信基地局６ａ，６ｂ，６ｃから出力される電界強度の測定を行う。
【００１９】
その後、電界強度確認装置５の電界強度読み出し部５２は、無線通信装置３の電界強度計測手段３１が計測している無線通信基地局６ａ，６ｂ，６ｃの電界強度を、無線通信装置３の通信手段３２を経由して読み出す。
【００２０】
電界強度確認装置５の通信状態判定部５３は、電界強度計測部５１が計測した無線通信基地局６ａ，６ｂ，６ｃの電界強度と、無線通信装置３の電界強度計測手段３１が計測した無線通信基地局６ａ，６ｂ，６ｃの電界強度とに基づいて、無線通信装置３の使用の可否、すなわち無線通信装置３の通信異常の有無を判定することができる。
【００２１】
電界強度確認装置５の通信状態判定部５３は、電界強度計測部５１によって計測された電界強度が所定値未満の場合には、無線通信基地局６ａ，６ｂ，６ｃのいずれも電界強度が不足と判定する。これに応じて電界強度確認装置５の図示しない表示部に、「無線通信装置３の使用不可」と表示される。
【００２２】
また、電界強度確認装置５の通信状態判定部５３は、電界強度計測部５１によって計測された電界強度が所定値以上で、かつ、無線通信装置３から読み出された電界強度が所定値未満の場合には、無線通信装置３の周辺の電波状況は良好であるが、無線通信装置３が正常に電波を受信できない異常状態にあり、アンテナ３ａの設置位置や取り付け方法を確認する必要があると判定する。これに応じて電界強度確認装置５の図示しない表示部に、「設置・取付確認要」と表示される。
【００２３】
また、電界強度確認装置５の通信状態判定部５３は、電界強度計測部５１によって計測された電界強度が所定値以上で、かつ、無線通信装置３から読み出された電界強度が所定値以上の場合には、無線通信装置３の使用に問題がないと判定する。これに応じて電界強度確認装置５の図示しない表示部に、「無線通信装置３の使用に問題なし」と表示される。
【００２４】
また、監視センタ８に設けられている電界強度読み出し部８２は、公衆回線網７、無線通信基地局６ａ，６ｂ，６ｃのいずれかを経由して無線通信装置３にアクセスして、無線通信装置３の電界強度計測手段３１で計測された電界強度を読み出し、電界強度判定部８３は、この読み出された電界強度に基づいて無線通信装置３の受信状態の合否を判定する。電界強度判定部８３における判定が不合格の場合は、作業指示部８１を介して該当する営業所等に、現地にてアンテナ３ａの設置位置や取り付け方法を確認する確認作業の指示が行われる。
【００２５】
次に、現地に出動した保守員４が携帯した電界強度確認装置５による確認処理手順を図２のフローチャートによって説明する。
【００２６】
同図２の手順Ｓ１において、保守員４は電界強度確認装置５を使用して、無線通信装置３の周辺の電波測定を開始する。すなわち、電界強度確認装置５に接続されたアンテナ５ａを介して電界強度計測部５１により、無線通信基地局６ａ，６ｂ，６ｃから出力される電波の電界強度の計測を実施する。
【００２７】
手順Ｓ２において、手順Ｓ１で計測した電界強度に基づいて、通信状態判定部５３で無線通信装置３が使用可能かどうかの判定を行う。例えば電界強度が低い等のように使用条件を満たさない場合（手順Ｓ２でＮ）は、手順Ｓ３にて電界強度確認装置５の図示しない表示部に「使用不可」が表示される。
【００２８】
手順Ｓ２において、通信状態判定部５３で無線通信装置３が使用可能と判定された場合（手順Ｓ２でＹ）は、手順Ｓ４において、電界強度読み出し部５３によって無線通信装置３の電界強度計測手段３１で計測された電界強度の読み出しを行う。
【００２９】
手順Ｓ５において、通信状態判定部５３で電界強度計測手段３１で計測された電界強度の読み出しに失敗と判定された場合（手順Ｓ５でＮ）は、手順Ｓ６にて、電界強度確認装置５の図示しない表示部に無線通信装置３の設置、取り付け状況を確認する必要がある旨の「設置・取付確認要」が表示され、処理を終了する。
【００３０】
手順Ｓ５において、通信状態判定部５３で電界強度計測手段３１で計測された電界強度の読み出しに成功と判定された場合（手順Ｓ５でＹ）は、手順Ｓ７において、通信状態判定部５３で使用可能な電波受信状態、すなわち電界強度であるかどうか判定され、使用不可な電界強度と判定された場合（手順Ｓ７でＮ）は、前述した手順Ｓ６を実施する。
【００３１】
手順Ｓ７において、電界強度計測手段３１で使用可能な電界強度と判定された場合（手順Ｓ７でＹ）は、手順Ｓ８にて、電界強度確認装置５の図示しない表示部に無線通信装置３の周辺の電波状態、及び受信状態に問題がない旨の「問題なし」が表示され、処理を終了する。
【００３２】
次に、監視センタ８による無線通信装置３の通信状態の確認処理手順を図３のフローチャートによって説明する。
【００３３】
同図３の手順Ｓ１１において、電界強度読み出し部８２により、無線通信装置３の電界強度計測手段３１で計測された電界強度の読み出しを実施する。手順Ｓ１２において、電界強度判定部８３で読み出し失敗と判定された場合（手順Ｓ１２でＮ）は、手順Ｓ１３にて、作業指示部８１を介して保守員４による出動の指示、すなわち確認作業の指示が行われ、処理を終了する。
【００３４】
手順Ｓ１２において、電界強度判定部８３で読み出し成功と判定された場合（手順Ｓ１２でＹ）は、手順Ｓ１４にて、使用可能な電波状態かどうか、すなわち電界強度であるかどうか電界強度判定部８３で判定される。使用不可な電波状態と判定された場合（手順Ｓ１４でＮ）は、前述した手順Ｓ１３にて、作業指示部８１を介して保守員４による確認作業の指示が行われ、処理を終了する。
【００３５】
手順Ｓ１４にて、電界強度判定部８３で使用可能な電波状態と判定された場合（手順Ｓ１４でＹ）は、処理を終了する。
【００３６】
前述したように本実施形態に係る無線通信装置の通信状態確認装置によれば、携帯可能な電界強度確認装置５の電界強度計測部５１が計測した無線通信装置３の周辺の無線基地局６ａ，６ｂ，６ｃとの間の電界強度と、電界強度確認装置５の電界強度読み出し部５２によって読み出された無線通信装置３の電界強度計測手段３１で計測された電界強度とに基づいて、無線通信装置３の通信異常の有無を判定する電界強度確認装置５の通信状態判定部５３によって、無線通信装置３のアンテナ３ａの取り付け方法の不良、またはアンテナ３ａの故障も含めて無線通信装置３の通信異常の有無を精度良く確認することができる。これにより本実施形態は、信頼性の高い、品質の安定した監視対象設備１に対する遠隔監視システムを実現させることができる。
【符号の説明】
【００３７】
１    監視対象設備
２    遠隔監視装置
３    無線通信装置
３１  電界強度計測手段
３２  通信手段
３ａ  アンテナ
４    保守員
５    電界強度確認装置
５１  電界強度計測部
５２  電界強度読み出し部
５３  通信状態判定部
６ａ  無線通信基地局
６ｂ  無線通信基地局
６ｃ  無線通信基地局
７    公衆回線網
８    監視センタ
８１  作業指示部
８２  電界強度読み出し部
８３  電界強度判定部
【図１】
2016046743.tif 000003
【図２】
2016046743.tif 000004
【図３】
2016046743.tif 000005